(57)【要約】【課題】  選曲予約を行った利用者以外の者であっても、当該選曲予約されたカラオケ楽曲の歌唱を同時に楽しんだ利用者であれば、所定の条件下で、選曲予約を行った利用者と同様の権限を許諾する。【解決手段】  選曲予約者以外の追加予約者が、予約待ち行列４４ａにて管理された任意の予約楽曲について、自らの利用者ＩＤを追加するための追加予約要求入力を行った場合に、当該追加予約者が選曲予約を行った利用者の歌唱を同時に楽しめるか否かを判断する追加予約者確認手段４８と、加予約者が前記選曲予約を行った利用者の歌唱を同時に楽しめると判断された場合に、追加予約者の利用者ＩＤを予約待ち行列４４ａに含めて、追加予約者に対して予約者と同様の権限を許諾する権限許諾手段とを備える。【選択図】図１
2014235303.tif 000002
【特許請求の範囲】
【請求項１】
選曲予約を行った利用者以外の利用者であっても、選曲予約を行った利用者の歌唱を同時に楽しめる利用者に対して、選曲予約者と同様の権限を許諾するカラオケシステムであって、
任意の利用者が選曲予約する際に、少なくとも、当該利用者の利用者ＩＤと当該選曲されたカラオケ楽曲の楽曲ＩＤとを紐付けした予約待ち行列を作成して管理する予約管理手段と、
前記利用者以外の追加予約者が、前記予約待ち行列にて管理された任意の予約楽曲について、自らの利用者ＩＤを追加するための追加予約要求入力を行った場合に、前記追加予約者が前記選曲予約を行った利用者の歌唱を同時に楽しめるか否かを判断する追加予約者確認手段と、
前記追加予約者が前記選曲予約を行った利用者の歌唱を同時に楽しめると判断された場合に、前記追加予約者の利用者ＩＤを予約待ち行列に含めて、前記追加予約者に対して前記予約者と同様の権限を許諾する権限許諾手段と、
を備えたことを特徴とするカラオケシステム。
【請求項２】
前記追加予約者確認手段は、前記予約者の判断入力に基づき、前記追加予約者の権限の許諾範囲を制限可能であり、
前記権限許諾手段は、前記制限された範囲で権限を許諾することを特徴とする請求項１に記載のカラオケシステム。
【請求項３】
複数のマイクロホンと、
前記複数のマイクロホンのうち歌唱者の歌唱以外の音声を集音したマイクロホンを識別し当該マイクロホンが出力した非歌唱者信号を解析する非歌唱者信号解析手段とを備え、
前記非歌唱者信号解析手段により非歌唱者信号が所定の条件を満たしていると判定された場合に、前記権限許諾手段は前記追加予約者が前記選曲予約を行った利用者の歌唱を同時に楽しんでいると判断することを特徴とする請求項１に記載のカラオケシステム。
【請求項４】
複数のビデオカメラと、
前記複数のビデオカメラのうち歌唱者以外の利用者を撮影した非歌唱者映像を解析する非歌唱者映像解析手段とを備え、
前記非歌唱者映像解析手段により非歌唱者映像が所定の条件を満たしていると判定された場合に、前記権限許諾手段は前記追加予約者が前記選曲予約を行った利用者の歌唱を同時に楽しんでいると判断することを特徴とする請求項１に記載のカラオケシステム。
【発明の詳細な説明】
【技術分野】
【０００１】
本発明は、選曲予約を行った利用者だけではなく、当該選曲予約を行った利用者以外の利用者であっても、選曲予約を行った利用者の歌唱を同時に楽しめる利用者に対して、選曲予約者と同様の権限を許諾することが可能なカラオケシステムに関するものである。
【背景技術】
【０００２】
従来のカラオケシステムでは、カラオケ楽曲を歌唱する歌唱者の歌唱音声及び歌唱姿態を録音録画して、ウェブサーバにおいて公開する機能を有するものがある。このような動画公開機能を有するカラオケシステムでは、利用者ＩＤを付帯して選曲予約を行った利用者のみが、当該カラオケ楽曲の録音録画データを公開する権限を有している。また、利用者ＩＤを付帯して選曲予約を行った利用者のみが、種々の特典を得られるサービスも行われている。
【０００３】
録音録画データを公開する機能を有するカラオケシステムが種々開示されている（例えば、特許文献１参照）。特許文献１に記載された技術は、映像サーバと投稿者のコンピュータとを通信回線で接続し、投稿者がカラオケ映像作品を映像サーバにアップロードできるようにし、映像サーバにアップロードされカラオケ映像作品を視聴できるようにしたものである。
【先行技術文献】
【特許文献】
【０００４】
【特許文献１】特開２００５−６２８９６号公報
【発明の概要】
【発明が解決しようとする課題】
【０００５】
ところで、録音録画データの収録に参加するのは、選曲予約を行った利用者のみとは限らない。例えば、歌唱に合わせてダンスを踊ったり、バックコーラスを歌ったり、合いの手を入れたりすることが一般的に行われている。そして、このようにカラオケ歌唱に参加した利用者も、自らが参加している録音録画データを公開したいという要望がある。また、選曲予約を行った利用者ではなくても、カラオケ歌唱に参加しているので、選曲予約を行った利用者と同様の特典を得たいという要望もある。
【０００６】
しかしながら、現在のカラオケシステムでは、カラオケ歌唱に参加した利用者が録音録画データを公開する機能や、特典を得る権利を有していないため、上述した要望に応えることはできなかった。また、何ら基準を設けずに、録音録画データの公開を許可したり、特典を与えたりしたのでは、選曲予約を行った利用者を始めとして、カラオケ歌唱に参加した他の利用者の利益を害するおそれがある。
【０００７】
本発明は、上述した事情に鑑み提案されたもので、選曲予約を行った利用者以外の者であっても、当該選曲予約されたカラオケ楽曲の歌唱を同時に楽しんだ利用者であれば、所定の条件下で、選曲予約を行った利用者と同様の権限を許諾することが可能なカラオケシステを提供することを目的とする。
【課題を解決するための手段】
【０００８】
本発明のカラオケシステムは、上述した事情に鑑み提案されたもので、以下の特徴点を有している。すなわち、本発明のカラオケシステムは、予約管理手段と、追加予約者確認手段と、権限許諾手段とを備えたことを特徴とするものである。
【０００９】
予約管理手段は、任意の利用者が選曲予約する際に、少なくとも、当該利用者の利用者ＩＤと当該選曲されたカラオケ楽曲の楽曲ＩＤとを紐付けした予約待ち行列を作成して管理するための手段である。追加予約者確認手段は、予約待ち行列にて管理された任意の予約楽曲について、自らの利用者ＩＤを追加するための追加予約要求入力を行った場合に、追加予約者が選曲予約を行った利用者の歌唱を同時に楽しめるか否かを判断するための手段である。この追加予約者確認手段は、選曲予約を行った予約者の判断入力に基づき、追加予約者の権限の許諾範囲を制限可能とすることができる。
【００１０】
権限許諾手段は、追加予約者が選曲予約を行った利用者の歌唱を同時に楽しめると判断された場合に、追加予約者の利用者ＩＤを予約待ち行列に含めて、追加予約者に対して予約者と同様の権限を許諾するための手段である。追加予約者確認手段において、追加予約者の権限の許諾範囲を制限可能とした場合には、権限許諾手段は、制限された範囲で予約者と同様の権限を許諾する。
【００１１】
本発明のカラオケシステムは、上述した構成に加えて、複数のマイクロホンと、複数のマイクロホンのうち歌唱者の歌唱以外の音声を集音したマイクロホンを識別し当該マイクロホンが出力した非歌唱者信号を解析する非歌唱者信号解析手段とを備えることが可能である。
【００１２】
このような構成の場合には、非歌唱者信号解析手段により非歌唱者信号が所定の条件を満たしていると判定された場合に、権限許諾手段は追加予約者が選曲予約を行った利用者の歌唱を同時に楽しんでいると判断する。
【００１３】
本発明のカラオケシステムは、上述した構成に加えて、複数のビデオカメラと、複数のビデオカメラのうち歌唱者以外の利用者を撮影した非歌唱者映像を解析する非歌唱者映像解析手段とを備えることが可能である。
【００１４】
このような構成の場合には、非歌唱者映像解析手段により非歌唱者映像が所定の条件を満たしていると判定された場合に、権限許諾手段は追加予約者が選曲予約を行った利用者の歌唱を同時に楽しんでいると判断する。
【００１５】
上述した構成からなるカラオケシステムでは、利用者がカラオケリモコン装置等を用いて選曲予約を行うと、予約管理手段の機能により、選曲予約を行った利用者ＩＤと当該選曲されたカラオケ楽曲の楽曲ＩＤとを紐付けした予約待ち行列を作成して管理する。
【００１６】
ここで、選曲予約を行った利用者以外であっても、追加予約者確認手段の機能により、選曲予約を行った利用者の歌唱を同時に楽しめる環境に居たと判断された場合には、権限許諾手段の機能により、追加予約者の利用者ＩＤを予約待ち行列に含めて、追加予約者に対して予約者と同様の権限を許諾することができる。この際、選曲予約を行った利用者が追加予約者の権限の許諾範囲を制限することができる構成とした場合には、権限許諾手段は、選曲予約を行った利用者が許諾した範囲で権限を許諾する。予約者と同様の権限とは、例えば、自らが参加したカラオケ歌唱の録音録画データを公開したり、予約者と同様の特典を享受したりすることである。
【００１７】
また、歌唱者の歌唱以外の音声を集音したマイクロホンを識別し当該マイクロホンが出力した非歌唱者信号を解析して、当該非歌唱者信号が所定の条件を満たしていると判定された場合に、権限許諾手段は追加予約者が選曲予約を行った利用者の歌唱を同時に楽しんでいると判断してもよい。同様に、歌唱者以外の利用者を撮影した非歌唱者映像を解析して、当該非歌唱者映像が所定の条件を満たしていると判定された場合に、権限許諾手段は前記追加予約者が選曲予約を行った利用者の歌唱を同時に楽しんでいると判断してもよい。
【発明の効果】
【００１８】
本発明のカラオケシステムによれば、選曲予約を行った利用者以外であっても、当該選曲予約を行った利用者の歌唱を同時に楽しめる環境に居たと判断された追加予約者について、当該追加予約者の利用者ＩＤを予約待ち行列に含めることにより、追加予約者に対して予約者と同様の権限を許諾することができる。
【００１９】
したがって、例えば、歌唱に合わせてダンスを踊ったり、バックコーラスを歌ったり、合いの手を入れたりするように、選曲予約を行った予約者と一緒にカラオケ歌唱を楽しんだ利用者が、自らが参加したカラオケ歌唱の録音録画データを公開したり、予約者と同様の特典を享受することができるので、カラオケの興趣をさらに一層高めることができる。
【図面の簡単な説明】
【００２０】
【図１】本発明の実施形態に係るカラオケシステムの構成を示すブロック図。
【図２】予約待ち行列の構成を示す説明図。
【図３】追加予約者の登録処理の手順を示すフローチャート。
【発明を実施するための形態】
【００２１】
図面を参照して、本発明のカラオケシステムの実施形態について説明する。図１〜図３は本発明の実施形態に係るカラオケシステムを示すもので、図１はカラオケシステムの構成を示すブロック図、図２は予約待ち行列の構成を示す説明図、図３は追加予約者の登録処理の手順を示すフローチャートである。
【００２２】
＜カラオケシステムの概要＞
本発明の実施形態に係るカラオケシステム１０は、選曲予約を行った歌唱者（選曲予約者）だけではなく、当該歌唱者の歌唱を同時に楽しむことができる環境に居た他の利用者に対して、予約者と同様の権限を許諾するための技術であり、主要な構成要素として、図１に示すように、予約管理手段４７と、追加予約者確認手段４８と、権限許諾手段４９とを備えている。本実施形態の各手段等は、カラオケ演奏端末３０及びその付帯装置の機能手段として実現する。
【００２３】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２４】
＜カラオケ演奏端末＞
本発明の実施形態に係るカラオケシステム１０は、図１に示すように、カラオケ演奏端末３０及びこれに付帯した機器により構成されるシステムであり、カラオケ本体４０、カラオケリモコン装置３１、ビデオカメラ３２、スピーカ３３、マイクロホン３４、表示装置３５、ミキシングアンプ３６を備えている。また、本実施形態のカラオケ演奏端末３０は、ルータ２０及びデータ通信回線７０を介して、管理サーバ６０にネットワーク接続されている。
【００２５】
＜管理サーバ＞
管理サーバ６０は、会員情報の管理、カラオケ演奏端末３０に対する楽曲データの配信、録音録画データの公開等を行うためのサーバである。データ通信回線７０は、例えば、インターネット回線、デジタル通信回線、アナログ通信回線、無線通信回線、ＬＡＮ等、環境に応じてどのような回線を用いてもよいが、ネットワークに対する第三者の侵入やデータの傍聴及び改竄が困難であるとともに、帯域を独占せずに安価な通信網であるという点で、インターネットにより構成されるＶＰＮを利用することが好ましい。
【００２６】
なお、単独の管理サーバ６０により、上述した複数の機能を実現するのではなく、各機能に特化したサーバを設け、各サーバにより各機能を実現してもよい。この際、仮想化技術により、１つのサーバに複数の機能を持たせることもできる。
【００２７】
＜カラオケリモコン装置＞
カラオケリモコン装置３１は、ユーザインタフェース機能を備えており、カラオケ本体４０のローカル送受信手段４６との間で有線方式又は無線方式によりデータの送受信を行うようになっている。このカラオケリモコン装置３１は、楽曲検索手段３１ａとして機能するプログラム、楽曲索引データベース３１ｂ、種々のデータを記憶するためのデータ記憶部３１ｃ、データの入出力を行うための入出力表示部３１ｄ等を備えている。このカラオケリモコン装置３１に付帯するスイッチ類や、入出力表示部３１ｄに表示される各種のアイコン等を操作することにより、選曲操作等が行われる。
【００２８】
＜楽曲検索手段／楽曲索引データベース＞
楽曲検索手段３１ａは、利用者の指示に基づき、楽曲索引データベース３１ｂを参照して楽曲を検索するためのプログラムからなる。楽曲索引データベース３１ｂは、カラオケ演奏端末３０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２９】
＜マイクロホン＞
マイクロホン３４は、歌唱音声の入力を行うための装置である。マイクロホン３４から入力された歌唱音声信号は、ミキシングアンプ３６により、音楽再生制御手段５１から送出される演奏音声信号とミキシングされると共に増幅され、スピーカ３３へ出力される。なお、マイクロホン３４からの音声入力信号は、Ａ／Ｄコンバータ５２によりデジタル変換され、歌唱採点手段（図示せず）における歌唱採点等に使用される。なお、マイクロホン３４は複数あってもよく、その場合には歌唱者以外の利用者の音声等を集音することができる。
【００３０】
＜ビデオカメラ＞
ビデオカメラ３２は、利用者の歌唱姿態を撮影するための撮影手段として機能する装置であり、撮像レンズ及び撮像素子を主要な構成要素とし、フォーカシング機構、ズーム機構、パン・チルト機構等を備えていてもよい。ビデオカメラ３２で撮影が行われると、映像信号（ビデオ信号）が、録音録画データ作成手段５０に入力される。なお、ビデオカメラ３２は複数あってもよく、その場合には歌唱者以外の利用者の映像を撮影することができる。
【００３１】
＜表示装置＞
表示装置３５は、カラオケ楽曲に関連した背景映像や歌詞テロップ等を表示するための装置で、例えば、液晶ディスプレイ等により構成される。
【００３２】
＜カラオケ本体＞
カラオケ本体４０は、ネットワーク送受信手段４１、中央制御手段４２、ＲＯＭ４３、ＲＡＭ４４、ＨＤＤ４５、ローカル送受信手段４６、予約管理手段４７、追加予約者確認手段４８、権限許諾手段４９、録音録画データ作成手段５０、音楽再生制御手段５１、Ａ／Ｄコンバータ５２、映像再生制御手段５３を備えている。また、非歌唱者信号解析手段７１、非歌唱者映像解析手段７２を備えた構成としてもよい。
【００３３】
＜中央制御手段＞
中央制御手段４２は、カラオケ本体４０を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００３４】
＜ＲＯＭ／ＲＡＭ＞
ＲＯＭ４３は、カラオケ本体４０を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。なお、物理的な半導体メモリによりＲＡＭ４４を構成するのではなく、ハードディスク記憶装置等を用いて仮想的なＲＡＭ４４を構成してもよい。
【００３５】
本実施形態では、ＲＡＭ４４に、予約待ち行列４４ａ、録音録画データ４４ｂが記憶されるようになっている。なお、予約待ち行列４４ａは、選曲予約されたカラオケ楽曲について、楽曲ＩＤと選曲予約者の利用者ＩＤを紐付けして演奏順に並べて構成したデータテーブルであり、録音録画データを作成する旨のフラグ等、他の識別データが紐付けされている場合もある。
【００３６】
予約待ち行列４４ａは、図２に示すように、カラオケ楽曲の演奏順に、楽曲ＩＤ、利用者ＩＤ、追加利用者ＩＤ、録音録画フラグ等を紐付けしたデータテーブルからなる。そして、予約待ち行列４４ａに記憶された順番でカラオケ楽曲の演奏が行われる。なお、予約待ち行列４４ａの構成は図２に示すものに限定されず、最低限必要なデータのみの構成としたり、他のデータを付加したりすることができる。本実施形態では、利用者ＩＤとして、選曲予約を行った利用者のみではなく、追加予約者として許可された利用者の利用者ＩＤを含ませることができるようになっている。
【００３７】
また、録音録画データ４４ｂは、録音録画データ作成手段５０により作成されたデータであり、歌唱者の歌唱姿態及び歌唱音声を含む動画データ、歌唱者の歌唱姿態及び歌唱音声とともに、バックコーラスやネットワーク接続された他のカラオケ演奏端末３０を用いてデュエット等を行っている利用者の映像データ及び音声データ、又は歌唱音声のみの音声データからなる。
【００３８】
＜ＨＤＤ＞
ＨＤＤ４５は、大容量記憶装置として機能するもので、少なくとも、楽曲データベース４５ａ、映像データベース４５ｂが格納されている。なお、ＨＤＤ４５に替えて、あるいはＨＤＤ４５と共に、データを書き替え可能なＤＶＤ等の大容量記憶装置を用いてもよい。
【００３９】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００４０】
＜送受信手段＞
ローカル送受信手段４６は、カラオケ本体４０とカラオケリモコン装置３１との間で、データの送受信を行うための電子回路及びプログラムからなる。本実施形態では、赤外線通信により、カラオケ本体４０とカラオケリモコン装置３１との間でデータの送受信が行われる。また、本実施形態では、ルータ２０との間でデータの送受信を行うためのネットワーク送受信手段４１を備えている。
【００４１】
＜予約管理手段＞
予約管理手段４７は、任意の利用者が選曲予約する際に、少なくとも、当該利用者の利用者ＩＤと当該選曲されたカラオケ楽曲の楽曲ＩＤとを紐付けした予約待ち行列を作成して管理するためのプログラムからなる。すなわち、予約管理手段４７は、利用者により楽曲検索手段３１ａの機能を用いて選曲された楽曲ＩＤと当該利用者の利用者ＩＤとを紐付けして演奏順に並べることにより予約待ち行列４４ａを作成し、この予約待ち行列４４ａをＲＡＭ４４に格納して管理する。
【００４２】
なお、利用者ＩＤは、利用者ＩＤカードに記憶された利用者ＩＤをカードリーダにより読み取り、あるいは、カラオケリモコン装置３１の入出力表示部３１ｄを用いて入力された利用者ＩＤ及びパスワードに基づいて取得すればよい。さらに、利用者が携帯する携帯情報端末を用いて予約を行う機能を有する場合には、当該携帯情報端末の機器ＩＤに紐付けされた利用者ＩＤを取得してもよい。また、カラオケ演奏端末３０を使用する際に、利用者に対して一時的に利用者ＩＤを付与してもよい。
【００４３】
＜追加予約者確認手段＞
追加予約者確認手段４８は、選曲予約を行った利用者以外の追加予約者が、予約待ち行列４４ａにて管理された任意の予約楽曲について、自らの利用者ＩＤを追加するための追加予約要求入力を行った場合に、追加予約者が選曲予約を行った利用者の歌唱を同時に楽しめるか否かを判断するためのプログラムからなる。
【００４４】
選曲予約を行った利用者の歌唱を同時に楽しめるとは、例えば、同時に同じカラオケルームに入室して、同一のカラオケ演奏装置を含むシステムにログインしている利用者、通信ネットワークを介してデュエットを行うために、ペアリングされた複数のカラオケ演奏装置を含むシステムにログインしている利用者、選曲予約を行った利用者の仲間としてグループ登録されている利用者等である。追加予約者となり得る予約者は、カラオケシステムの管理者や選曲予約を行った利用者の設定に応じて、種々の態様とすることができる。
【００４５】
また、追加予約者確認手段４８は、選曲予約を行った予約者の判断入力に基づき、追加予約者の権限の許諾範囲を制限することが可能である。例えば、上述した例では、同時に同じカラオケルームに入室して、同一のカラオケ演奏装置を含むシステムにログインしている利用者、通信ネットワークを介してデュエットを行うために、ペアリングされた複数のカラオケ演奏装置を含むシステムにログインしている利用者、選曲予約を行った利用者の仲間としてグループ登録されている利用者の中から、追加予約者の範囲を限定したり、録音録画データを閲覧できる利用者を限定したり、特典を享受できる利用者を限定したりすることができる。
【００４６】
＜権限許諾手段＞
権限許諾手段４９は、追加予約者が選曲予約を行った利用者（選曲予約者）の歌唱を同時に楽しめると判断された場合に、追加予約者の利用者ＩＤを予約待ち行列４４ａに含めて、追加予約者に対して選曲予約者と同様の権限を許諾するためのプログラムからなる。権限を許諾する追加予約者は、一人に限られず、複数人とすることができる。また、権限許諾手段４９は、制限された範囲で権限を許諾するようになっている。
【００４７】
予約者と同様の権限とは、例えば、自らが参加したカラオケ歌唱の録音録画データの公開、キャンペーンへの参加、景品やポイントの獲得等、予約者と同様の利益を享受することである。また、制限された範囲で権限を許諾するとは、録音録画データの閲覧者の制限、特定のキャンペーンのみへの参加許諾、予約者よりも少ないポイントの獲得等のように、追加予約者が享受できる権限を制限することである。
【００４８】
＜非歌唱者信号解析手段＞
前述したように、複数のマイクロホン３４を用いれば、歌唱者以外の利用者である非歌唱者の音声等をも集音することができる。当該マイクロホンが集音している音声が歌唱者の歌唱ではないことを識別するには、例えば採点機能（図示しない）を用いて歌唱すべきメロディとは全く関係ない音声入力であることを確認すればよい。そして、非歌唱者信号解析手段７０は、この非歌唱者によって入力された非歌唱者信号を解析し、非歌唱者信号が所定の条件を満たしているかどうかを判定するためのプログラムからなる。所定の条件とは、例えば、楽曲のリズムに同期したタイミングで音量のピークが検出される、歌唱者が歌唱すべき歌唱のメロディと調性が一致している、歌唱者の歌唱を妨げていない、などである。この判定に基づいて、権限許諾手段４９は前記追加予約者が前記選曲予約を行った利用者の歌唱を同時に楽しんでいるかどうかを判断することができる。なお、歌唱前に権限許諾手段４９が権限を許諾し、歌唱終了後に非歌唱者信号解析手段７０が所定の条件を満たしているかどうかを判定してその結果に応じて権限許諾手段４９が許諾内容を変更してもよいし、次の追加予約から許諾するように構成してもよい。
【００４９】
＜非歌唱者映像解析手段＞
前述したように、複数のビデオカメラ３２を用いれば、歌唱者以外の利用者である非歌唱者の映像をも撮影することができる。非歌唱者映像解析手段７１は、この非歌唱者を撮影した非歌唱者映像を解析し、非歌唱者映像が所定の条件を満たしているかどうかを判定するためのプログラムからなる。所定の条件とは、例えば、非歌唱者の動作映像が楽曲のリズムに同期した動作映像であることが検出される、複数の非歌唱者の動作が一致している、などである。この判定に基づいて、権限許諾手段４９は前記追加予約者が前記選曲予約を行った利用者の歌唱を同時に楽しんでいるかどうかを判断することができる。なお、歌唱前に権限許諾手段４９が権限を許諾し、歌唱終了後に非歌唱者映像解析手段７１が所定の条件を満たしているかどうかを判定してその結果に応じて権限許諾手段４９が許諾内容を変更してもよいし、次の追加予約から許諾するように構成してもよい。
【００５０】
＜予約待ち行列の公開＞
また、図示しないが、選曲予約を行った利用者の指示入力に基づき、予約待ち行列４４ａを公開するための予約待ち行列公開手段を備えた構成としてもよい。予約待ち行列公開手段を備えた構成とすることにより、選曲予約を行った利用者の歌唱を同時に楽しんでいる他の利用者が、選曲予約の内容を知ることができる。
【００５１】
＜録音録画データ作成手段＞
録音録画データ作成手段５０は、利用者がカラオケ歌唱を行う際に、ビデオカメラ３２から入力されたビデオデータと、マイクロホン３４から入力された音声データとを同期させて、録音録画データを作成するためのプログラムからなる。録音録画データ作成手段５０により作成された録音録画データ４４ｂはＲＡＭ４４に記憶され、ＤＶＤ等の記憶媒体に記憶したり、管理サーバ６０等にアップロードして公開したりすることができる。
【００５２】
＜音楽再生制御手段＞
音楽再生制御手段５１は、楽曲ＩＤに基づいて演奏データから抽出された演奏制御データに基づいて、音源データをデジタル再生すると共にアナログ変換してミキシングアンプ３６に出力するための電子回路である。上述したように、ミキシングアンプ３６は、マイクロホン３４から入力された歌唱者の歌唱音声信号と、音楽再生制御手段５１から送出される演奏音声信号とをミキシングすると共に、アンプ機能により増幅してスピーカ３３より出力させるための装置である。
【００５３】
＜映像再生制御手段＞
映像再生制御手段５３は、カラオケ楽曲の演奏中に、背景映像データから抽出した背景映像データと、演奏データに含まれる歌詞描出データに基づいて作成される歌詞文字とを、当該カラオケ楽曲の演奏データに同期させて表示装置３５に出力するためのプログラムからなる。
【００５４】
＜追加予約者の登録＞
次に、図３を参照して、追加予約者の登録処理の手順について説明する。追加予約者を登録するためには、予め、選曲予約者による選曲予約が行われて予約待ち行列４４ａが作成されていることを前提とする。
【００５５】
追加予約者の登録処理では、図３に示すように、追加予約者からの追加予約要求入力があると（Ｓ１）、当該追加予約者が、選曲予約者を行った利用者の歌唱を同時に楽しめる状況に居るか否かを判断する（Ｓ２）。選曲予約者を行った利用者の歌唱を同時に楽しめるとは、例えば、同一のカラオケルームに入室し、同一のカラオケ演奏端末３０にシステムログインしている場合等である。
【００５６】
ここで、追加予約者が選曲予約者を行った利用者の歌唱を同時に楽しめる状況に居る場合には、追加予約者の利用者ＩＤを予約待ち行列４４ａに含めて、追加予約者に対して選曲予約者と同様の権限を許諾する（Ｓ４）。
【００５７】
なお、図示しないが、追加予約者への権限許諾処理（Ｓ３）において、選曲予約者の判断入力に基づいて、追加予約者の権限の許諾範囲を制限してもよい。
【００５８】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００５９】
１０  カラオケシステム
２０  ルータ
３０  カラオケ演奏端末
３１  カラオケリモコン装置
３１ａ  楽曲検索手段
３１ｂ  楽曲索引データベース
３１ｃ  データ記憶部
３１ｄ  入出力表示部
３２  ビデオカメラ
３３  スピーカ
３４  マイクロホン
３５  表示装置
３６  ミキシングアンプ
４０  カラオケ本体
４１  ネットワーク送受信手段
４２  中央制御手段
４３  ＲＯＭ
４４  ＲＡＭ
４４ａ  予約待ち行列
４４ｂ  録音録画データ
４５  ＨＤＤ
４５ａ  楽曲データベース
４５ｂ  映像データベース
４６  ローカル送受信手段
４７  予約管理手段
４８  追加予約者確認手段
４９  権限許諾手段
５０  録音録画データ作成手段
５１  音楽再生制御手段
５２  Ａ／Ｄコンバータ
５３  映像再生制御手段
６０  管理サーバ
７０  データ通信回線
７１  非歌唱者信号解析手段
７２  非歌唱者映像解析手段
【図１】
2014235303.tif 000003
【図２】
2014235303.tif 000004
【図３】
2014235303.tif 000005